(57)【要約】      （修正有）【課題】座面部又は／及び背もたれ部における充填材が局所的に崩れず、かつ、収納されやすい椅子を提供する。【解決手段】座面部１２と背もたれ部１１を備え、座面部１２及び背もたれ部１１の少なくとも一方に流動性のある充填材を充填している椅子１であって、流動性のある充填材を充填している座面部１２又は／及び背もたれ部１１には、充填材が自由に流動することを抑制するための遮断構造２１、２２が設けられている。【選択図】図１
0003219882.tif 000002
【実用新案登録請求の範囲】
【請求項１】
座面部と背もたれ部を備え、座面部及び背もたれ部の少なくとも一方に流動性のある充填材を充填している椅子であって、
流動性のある充填材を充填している座面部又は／及び背もたれ部には、充填材が自由に流動することを抑制するための遮断構造が設けられていることを特徴とする椅子。
【請求項２】
前記遮断構造は、
座面部又は／及び背もたれ部における中央位置に設けられる凹状構造であることを特徴とする請求項１に記載の椅子。
【請求項３】
前記凹状構造は断面形状が楕円形であることを特徴とする請求項２に記載の椅子。
【請求項４】
前記座面部又は／及び背もたれ部の充填材は、
直径０．１〜３ｍｍの粒子であることを特徴とする請求項１から請求項３のいずれか一項に記載の椅子。
【請求項５】
前記座面部と背もたれ部は剛性的に連結され、かつ、背もたれ部が座面部に対して角度が調整可能に構成されていることを特徴とする請求項１から請求項３のいずれか一項に記載の椅子。
【考案の詳細な説明】
【技術分野】
【０００１】
本実用新案は家具に関わり、特に座面部又は／及び背もたれ部の内部に流動性を有する充填材を充填している椅子に関するものである。
【背景技術】
【０００２】
家庭用椅子は背もたれ部と座面部を備え、背もたれ部と座面部は通常、スポンジ等の弾性体を木枠に覆うように形成されることで座り心地の快適感を図っている。
【０００３】
近年では、下記特許文献１に開示されるような豆袋のソファ（椅子）が存在している。このようなソファ（椅子）ではソファ外形を形成する枠組みを使わず、袋に充填材としての粒子などを直接充填して座面部などを形成する構成となっている。そして、座面部などを形成する袋の中に充填されている充填材としての粒子は拘束されておらず袋の中で流動可能なので、利用者の座り方に応じて座面部などが自由に変形することができる。
【先行技術文献】
【特許文献】
【０００４】
【特許文献１】ＣＮ１０２３３３４６８Ａ号公報
【考案の概要】
【考案が解決しようとする課題】
【０００５】
しかし、上記のような従来の椅子やソファでは、以下の問題点が存在している。
（１）利用者が着座する際、利用者の腰掛け姿勢に応じて流動性のある充填材が充填されている座面部などが自由に変形し、利用者の脊椎をうまく支えることができない。
（２）座面部は充填材としての粒子などが直接充填されて形成する構成となっており、充填材としての粒子は拘束されておらず座面部内で自由に流動するとともに、利用者が椅子やソファに着座する際、その骨格及び着座姿勢等の原因で、座面部に対して垂直に座るとは限らないため、座面部に対して非垂直に座った場合、充填材としての粒子は偏って押圧されて座面部の片側に集中してしまい、場合によって座面部が崩れてしまう恐れがある。この原因で、このような流動性のある充填材を背もたれ部に充填することに適用できず、仮に適用された場合では、重力の作用で流動性のある充填材は座面部側に集中してしまい、背もたれ部の役割が失ってしまうこととなる。
【課題を解決するための手段】
【０００６】
本実用新案は、上記問題に鑑みてなされたものであり、座面部又は／及び背もたれ部における充填材が局所的に崩れず、かつ、収納されやすい椅子を提供することを目的とする。
【０００７】
上記目的を実現するために、本実用新案に係る椅子は、座面部と背もたれ部を備え、座面部及び背もたれ部の少なくとも一方に流動性のある充填材を充填している椅子であって、流動性のある充填材を充填している座面部又は／及び背もたれ部には、充填材が自由に流動することを抑制するための遮断構造が設けられている。
【０００８】
上記構造によれば、充填材が自由に流動することを抑制するための遮断構造が背もたれ部に設けられている場合では、背もたれ部内の上側にある充填材が崩れて下側に集中することを効果的に防ぐことができる。一方、充填材が自由に流動することを抑制するための遮断構造が座面部に設けられている場合では、充填材が局所的に崩れて片側に集中してしまうことを効果的に防ぐことができる。
【０００９】
好ましくは、本実用新案に係る遮断構造は座面部又は／及び背もたれ部における中央位置に設けられる凹状構造である。
【００１０】
上記構造によれば、利用者の背骨の突出部にほぼ対応している背もたれ部の中央位置に遮断構造としての凹状構造が設けられることで、充填材が崩れることを抑制できるとともに、利用者の背骨の突出部に合わせて着座できる快適感を図ることができる。一方、利用者の臀部に対応している座面部の中央位置に遮断構造としての凹状構造が設けられることで、充填材が偏って押圧されて座面部が崩れることが防げるとともに、利用者の臀部を受け入れる凹状構造が設けられることによって利用者の座り心地の快適感を図ることもできる。
【００１１】
好ましくは、本実用新案に係る凹状構造は断面形状が楕円形である。
【００１２】
上記構造によれば、背もたれ部に設けられた凹状構造の断面形状は縦方向が長辺となる縦長の楕円形であれば、利用者の背骨に一層に合う。一方、座面部に設けられた凹状構造の断面形状は横方向が長辺となる横長の楕円形であれば、利用者の臀部に一層に合う。そして、利用者の座り心地の快適感をさらに図ることもできる。
【００１３】
好ましくは、本実用新案に係る座面部又は／及び背もたれ部の充填材は直径０．１〜３ｍｍの粒子である。
【００１４】
上記構造によれば、粒子が小さすぎて流動性が大きすぎることに起因した充填材としての粒子が局所的に崩れることを防ぐことができ、粒子が大きすぎることに起因した座面部又は／及び背もたれ部が硬すぎて利用者の座り心地の快適感が落ちることを防ぐこともできる。
【００１５】
好ましくは、本実用新案に係る座面部と背もたれ部は剛性的に連結され、かつ、背もたれ部が座面部に対して角度が調整可能に構成されている。
【００１６】
上記構造によれば、利用者の使用習慣に応じて背もたれ部が座面部に対して角度が９０度〜１８０度の間で自由に調整することができ、９０度に調整した場合、直角となる椅子になり、１８０度に調整した場合、平坦なソファになり、平坦となる場合、複数に重ねられやすくなり、収納されやすくなる。
【図面の簡単な説明】
【００１７】
【図１】本実用新案の椅子の使用状態の構造を示す斜視図である。
【図２】本実用新案の椅子の平坦状態の構造を示す正面図である。
【図３】本実用新案の椅子の平坦状態の構造を示す側面図である。
【考案を実施するための形態】
【００１８】
図１及び図２に示すように、本実用新案の椅子１は、背もたれ部１１と座面部１２を備えている。具体的には、上側に位置する背もたれ部１１はほぼ楕円形に形成され、下側に位置する座面部１２はほぼ楕円形に形成され、椅子１の全体的形状はヒョウタンとなるように構成されている。一方、本実用新案の椅子１は上記の形状に形成されることに限定されず、例えば、背もたれ部１１と座面部１２はともに正方形または長方形に形成されてもよい。あるいは、背もたれ部１１は正方形に形成され座面部１２は円形に形成されてもよい。
【００１９】
また、背もたれ部１１及び座面部１２の内部にはそれぞれフレームが設けられ、本実施例において、フレームは厚さ１．２ｍｍの高周波溶接管を用いて形成されている（図示せず）。なお、背もたれ部１１のフレームと座面部１２のフレームとは、剛性的に連結されており、両者間では相対角度を自由的に調整することができるようにしている。具体的には、椅子１を収納する場合、背もたれ部１１のフレームと座面部１２のフレームとの間の角度を１８０度に調整して、椅子１を大体平坦な状態にすれば、部屋のコーナー、隙間やベットの下などに収納することができる。それに対し、使用する際、背もたれ部１１のフレームと座面部１２のフレームとの間の角度を１２０度〜９０度に調整すれば、通常の椅子状態にすることができる。
なお、フレームは、上記実施例のような構成に限定されず、例えば、フレームは高周波溶接管で形成されることに限定されず、プラスチックで形成されてもよい。また、その構造も角度が調整不可になってもよい。さらに、角度調整可能な構造である場合、角度の調整がヒンジ構造で行われてもよいし、ピン構造で行われてもよい。
【００２０】
また、背もたれ部１１及び座面部１２の内部には充填材が充填されている。本実施例では、充填材は直径０．１〜３ｍｍの粒子（発泡スチロール粒子、中国での商品名が「宝麗珠」であるもの）を用いている。好ましくは、直径１ｍｍの粒子を用いている。上記粒子が優れた流動性を有するため、本実用新案の椅子１はよい可塑性を持っており、利用者の体型に合わせて表面状態が変わることができ、異なる体型の利用者に適用される。一方、本実用新案の椅子１の充填材は上記粒子に限定されず、例えば、スポンジやガチョウの毛などを用いてもよい。
また、本実用新案の椅子１では、椅子１の背もたれ部１１及び座面部１２の外表面においては、利用者と接触する部分が弾性のある布を採用し、その他の部分がデニムを採用しており、利用者の座り心地の快適感をさらに図っている。なお、背もたれ部１１及び座面部１２における充填材を充填する内袋が優れた弾力を有する布を採用している。一方、背もたれ部１１及び座面部１２の外表面に採用されているものは布に限定されず、例えば、牛皮、または部分的に布革を採用したりしてもよい。
【００２１】
また、流動性が高い粒子の崩れを防ぐために、本実用新案の椅子１では、背もたれ部１１の略中央位置に遮断構造２１が設けられている。
【００２２】
前記遮断構造２１は、背もたれ部１１の内部に充填されている充填材としての粒子が自由に流動することを抑制するものである。具体的に言えば、当該遮断構造２１は、背もたれ部１１の略中央位置に設けられている凹状構造となっている。即ち、背もたれ部１１の略中央位置の部分においては、充填材が充填されない凹状構造に形成され、凹状構造以外の背もたれ部１１の部分に充填剤が充填されている。このような構成によれば、背もたれ部１１内に充填されている充填剤としての粒子はその流動が凹状構造（すなわち遮断構造２１）により遮断されるようになっている。なお、当該凹状構造の断面形状は図２に示されるように、背もたれ部１１の形状とほぼ同じ楕円形に形成されている。具体的には、利用者の背中の伸びる方向を縦方向にする場合、当該凹状構造の形状は縦方向が長辺となる縦長の楕円形に形成されている。そして、本実用新案の椅子１では背もたれ部１１の中央位置に遮断構造としての凹状構造が設けられていることによって、充填材としての粒子が背もたれ部１１内部での流動が制限され、重力などによって下方にある座面部１２側へ流動しにくくなり、背もたれ部１１が崩れることを有効に抑制することができる。
【００２３】
さらに、図１及び図２に示されるように、利用者の座り心地の快適感をさらに図るために、本実用新案の座面部１２にもその略中央位置の部分に遮断構造２２が設けられている。当該遮断構造２２はその断面形状が楕円形となる凹状構造に形成されている。そして、本実用新案の椅子１では座面部１２の中央位置に遮断構造としての凹状構造が設けられていることによって、充填材としての粒子が座面部１２内部での流動が制限され、利用者が非垂直に座面部１２に座っても座面部１２内に充填されている充填材としての粒子が偏って流動することはなく、座面部１２が崩れることを有効に抑制することができる。
上記実施例では、背もたれ部１１、座面部１２および遮断構造としての凹状構造は楕円形に形成されているが、これに限定せず、例えば、背もたれ部１１が正方形に形成され、背もたれ部１１に設けられている遮断構造２１が円形となってもよい。あるいは、座面部１２が円形に形成され、座面部１２に設けられている遮断構造２２が長方形に形成されてもよい。
上記実施例では、背もたれ部１１と座面部１２にはそれぞれ遮断構造としての凹状構造が設けられているが、これに限定せず、背もたれ部１１と座面部１２のいずれ一方に遮断構造としての凹状構造が設けられてもよい。
【００２４】
また、上記説明したように、本実用新案の椅子１では、内部がヒンジ構造で角度調整可能のフレームを採用しているため、収納する際、ヒンジ構造で背もたれ部１１のフレームと座面部１２のフレームとの間の角度を１８０度に調整させ、椅子１は図３に示すように大体平坦な状態になることにより、部屋のコーナーや隙間およびベットの下に収納することができる。それに対し、使用する際、図１に示すように、ヒンジ構造で背もたれ部１１のフレームと座面部１２のフレームとの間の角度を１２０度〜９０度に調整すればよい。
【００２５】
そして、本実用新案の椅子１は、少なくとも以下のような有益な効果が奏する。
充填材が自由に流動することを抑制するための遮断構造が背もたれ部に設けられているため、背もたれ部内の上側にある充填材が崩れて下側に集中することを効果的に防ぐことができる。また、充填材が自由に流動することを抑制するための遮断構造が座面部に設けられているため、充填材が局所的に崩れて片側に集中してしまうことを効果的に防ぐことができる。
【００２６】
なお、上記説明では、本実用新案に係る最適な実施例を挙げているが、これに限定されず、本実用新案の趣旨に反していない場合、関連する部品及び／又は構造の増加、減少、簡単に置き換えることは本実用新案の保護範囲内に帰属すべきである。
【図１】
0003219882.tif 000003
【図２】
0003219882.tif 000004
【図３】
0003219882.tif 000005